(57)【要約】【課題】ＣＴ画像と対応する心電波形の画像とを容易に関連付けることが可能であり、且つ心電波形の画像に対応する心電波形データを容易に表示可能なＸ線ＣＴ装を提供する。【解決手段】実施形態のＸ線ＣＴ装置は、設定部、特定部、再構成処理部、記憶部、制御部、表示制御部を有する。制御部は、再構成処理を開始させる信号に基づいて、所望の範囲が設定された心電波形データ、当該心電波形データに基づく心電波形画像データ、及び特定された検出データに基づくＣＴ画像データを関連付けて記憶させる。表示制御部は、記憶された心電波形画像データに基づく心電波形画像及び記憶されたＣＴ画像データに基づくＣＴ画像を表示部に併せて表示させ、且つ心電波形画像が選択された場合、選択された心電波形画像に対応する所望の範囲が設定された心電波形データを表示部に表示させる。【選択図】図５Ｂ
2014226320.tif 000002
【特許請求の範囲】
【請求項１】
被検体に対するＸ線スキャンを行い、検出データを取得するＸ線ＣＴ装置であって、
前記Ｘ線スキャンと並行して得られた前記被検体の心電波形データに対して、所望の範囲を設定する設定部と、
前記検出データのうち、前記所望の範囲に含まれるタイミングで取得された検出データを特定する特定部と、
特定された前記検出データに基づく投影データを再構成処理し、ＣＴ画像データを作成する再構成処理部と、
記憶部と、
前記再構成処理を開始させる信号に基づいて、前記所望の範囲が設定された前記心電波形データ、当該心電波形データに基づく心電波形画像データ、及び特定された前記検出データに基づく前記ＣＴ画像データを関連付けて前記記憶部に記憶させる制御部と、
記憶された前記心電波形画像データに基づく心電波形画像及び記憶された前記ＣＴ画像データに基づくＣＴ画像を表示部に併せて表示させ、且つ前記心電波形画像が選択された場合、選択された心電波形画像に対応する前記所望の範囲が設定された前記心電波形データを前記表示部に表示させる表示制御部と、
を有することを特徴とするＸ線ＣＴ装置。
【請求項２】
前記設定部は、
前記表示部に表示された前記所望の範囲が設定された前記心電波形データに対し、設定された前記所望の範囲を変更し、新たな範囲を設定する変更部を有し、
前記特定部は、前記新たな範囲に含まれるタイミングで取得された検出データを特定し、
前記制御部は、前記再構成処理を開始させる信号に基づいて、前記新たな範囲が設定された前記心電波形データ、当該心電波形データに基づく心電波形画像データ、及び特定された前記新たな範囲に含まれるタイミングで取得された前記検出データに基づく前記ＣＴ画像データを関連付けて前記記憶部に記憶させることを特徴とする請求項１記載のＸ線ＣＴ装置。
【請求項３】
前記表示制御部は、前記所望の範囲に対応する前記検出データに基づく第１のＣＴ画像、及び前記新たな範囲に対応する前記検出データに基づく第２のＣＴ画像を前記表示部に並列表示させることを特徴とする請求項２記載のＸ線ＣＴ装置。
【請求項４】
被検体に対するＸ線スキャンと並行して得られた前記被検体の心電波形データに対して、所望の範囲を設定する設定部と、
前記Ｘ線スキャンにより取得された検出データのうち、前記所望の範囲に含まれるタイミングで取得された検出データを特定する特定部と、
特定された前記検出データに基づく投影データを再構成処理し、ＣＴ画像データを作成する再構成処理部と、
記憶部と、
前記再構成処理を開始させる信号に基づいて、前記所望の範囲が設定された前記心電波形データ、当該心電波形データに基づく心電波形画像データ、及び特定された前記検出データに基づく前記ＣＴ画像データを関連付けて前記記憶部に記憶させる制御部と、
表示部と、
記憶された前記心電波形画像データに基づく心電波形画像及び記憶された前記ＣＴ画像データに基づくＣＴ画像を前記表示部に併せて表示させ、且つ前記心電波形画像が選択された場合、選択された心電波形画像に対応する前記所望の範囲が設定された前記心電波形データを前記表示部に表示させる表示制御部と、
を有することを特徴とする画像表示装置。
【発明の詳細な説明】
【技術分野】
【０００１】
本発明の実施形態は、Ｘ線ＣＴ装置及び画像表示装置に関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、コンソール装置に送信される。コンソール装置は、当該検出データに前処理等を施し投影データを作成する。そして、コンソール装置は、投影データに基づく再構成処理を行い、ＣＴ画像データを作成する。
【０００４】
ところで、心臓等の動きがある対象をＸ線ＣＴ装置でＸ線スキャンする場合、動きの影響により得られるＣＴ画像がぶれる可能性（モーションアーチファクト等が生じる可能性）がある。この動きの影響を低減するために、たとえば、心電同期再構成という手法がある。心電同期再構成は、心臓等が動いている状態でＸ線スキャンを行い、且つＸ線スキャンと並行して心電計により心電波形データを取得する。そして、取得された検出データのうち、心電波形データにおいて動きの影響が少ないタイミングで取得された検出データを特定し、その検出データのみを再構成処理するという方法がある。Ｘ線ＣＴ装置は、このように、動きの影響が少ないタイミングで取得された検出データのみを再構成処理することによりＣＴ画像データを作成する。すなわち、このＣＴ画像データに基づくＣＴ画像は、モーションアーチファクト等が低減された画像となる。
【０００５】
また、Ｘ線ＣＴ装置は、Ｘ線スキャンにより取得された検出データ等を確認・処理する画面（以下、「生データページ」という場合がある）を表示部に表示させることができる。生データページでは、検出データ（投影データ）に基づくＣＴ画像の表示や検出データに対する処理（たとえば、再構成処理の再実行）等を行うことができる。
【先行技術文献】
【特許文献】
【０００６】
【特許文献１】特開２００６−１５８４４４号公報
【発明の概要】
【発明が解決しようとする課題】
【０００７】
ここで、心電同期再構成により得られた検出データに基づくＣＴ画像を観察する際、術者は当該ＣＴ画像に対応する心電波形の画像を併せて確認したい場合がある。このためには、ＣＴ画像と心電波形の画像とが関連付けられている必要がある。
【０００８】
また、術者は、生データページにおいて、当該ＣＴ画像の元となった検出データとは異なるタイミングで取得された検出データに対して再構成処理を実行させ、新たなＣＴ画像を観察したい場合もある。このためには、心電波形の画像に対応する心電波形データに基づいて検出データの特定を行うことが簡便である。
【０００９】
実施形態は、前述の問題点を解決するためになされたものであり、ＣＴ画像（ＣＴ画像データ）と対応する心電波形の画像（心電波形画像データ）とを容易に関連付けることが可能であり、且つ心電波形の画像に対応する心電波形データを容易に表示可能なＸ線ＣＴ装置及び画像表示装置を提供することを目的とする。
【課題を解決するための手段】
【００１０】
実施形態のＸ線ＣＴ装置は、被検体に対するＸ線スキャンを行い、検出データを取得する。Ｘ線ＣＴ装置は、設定部と、特定部と、再構成処理部と、記憶部と、制御部と、表示制御部とを有する。設定部は、Ｘ線スキャンと並行して得られた被検体の心電波形データに対して、所望の範囲を設定する。特定部は、検出データのうち、所望の範囲に含まれるタイミングで取得された検出データを特定する。再構成処理部は、特定された検出データに基づく投影データを再構成処理し、ＣＴ画像データを作成する。制御部は、再構成処理を開始させる信号に基づいて、所望の範囲が設定された心電波形データ、当該心電波形データに基づく心電波形画像データ、及び特定された前記検出データに基づくＣＴ画像データを関連付けて記憶部に記憶させる。表示制御部は、記憶された心電波形画像データに基づく心電波形画像及び記憶されたＣＴ画像データに基づくＣＴ画像を表示部に併せて表示させ、且つ心電波形画像が選択された場合、選択された心電波形画像に対応する所望の範囲が設定された心電波形データを前記表示部に表示させる。
【図面の簡単な説明】
【００１１】
【図１】実施形態に係るＸ線ＣＴ装置のブロック図である。
【図２】実施形態に係る設定部の説明を補足する図である。
【図３Ａ】実施形態に係る変更部の説明を補足する図である。
【図３Ｂ】実施形態に係る変更部の説明を補足する図である。
【図４Ａ】実施形態に係る特定部の説明を補足する図である。
【図４Ｂ】実施形態に係る特定部の説明を補足する図である。
【図５Ａ】実施形態に係る表示部の表示画面を示す図である。
【図５Ｂ】実施形態に係る表示部の表示画面を示す図である。
【図５Ｃ】実施形態に係る表示部の表示画面を示す図である。
【図５Ｄ】実施形態に係る表示部の表示画面を示す図である。
【図５Ｅ】実施形態に係る表示部の表示画面を示す図である。
【図６】実施形態に係るＸ線ＣＴ装置の動作の概要を示すフローチャートである。
【図７】実施形態に係る特定部の説明を補足する図である。
【図８】実施形態に係る表示部の表示画面を示す図である。
【図９】実施形態に係る特定部の説明を補足する図である。
【図１０】実施形態に係る表示部の表示画面を示す図である。
【発明を実施するための形態】
【００１２】
（実施形態）
図１から図６を参照して、実施形態に係るＸ線ＣＴ装置１の構成について説明する。
【００１３】
＜装置構成＞
図１に示すように、Ｘ線ＣＴ装置１は、架台装置１０と、寝台装置３０と、コンソール装置４０とを含んで構成されている。また、Ｘ線ＣＴ装置１とは別に心電計５０が設けられている。
【００１４】
［架台装置］
架台装置１０は、被検体Ｅに対してＸ線を曝射し、被検体Ｅを透過した当該Ｘ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１５】
Ｘ線発生部１１は、Ｘ線を発生させるＸ線管球（たとえば、円錐状や角錐状のビームを発生する真空管。図示なし）を含んで構成されている。発生したＸ線は被検体Ｅに対して曝射される。すなわち、Ｘ線発生部１１は、被検体Ｅに対してＸ線を曝射する。
【００１６】
Ｘ線検出部１２は、複数のＸ線検出素子（図示なし）を含んで構成されている。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。すなわち、Ｘ線検出部１２は、被検体Ｅを透過したＸ線を検出し、検出データを出力する。Ｘ線検出部１２は、たとえば、検出素子が互いに直交する２方向（スライス方向とチャンネル方向）にそれぞれ複数配置された２次元のＸ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元の撮影領域を撮影することができる（ボリュームスキャン）。なお、スライス方向は被検体Ｅの体軸方向に相当し、チャンネル方向はＸ線発生部１１の回転方向に相当する。
【００１７】
回転体１３は、Ｘ線発生部１１とＸ線検出部１２とを被検体Ｅを挟んで対向するよう支持する部材である。回転体１３は、スライス方向に貫通した開口部１３ａを有する。架台装置１０内において、回転体１３は、被検体Ｅを中心とした円軌道で回転するよう配置されている。
【００１８】
高電圧発生部１４は、Ｘ線発生部１１に対して高電圧を印加する。Ｘ線発生部１１は、当該高電圧に基づいてＸ線を発生させる。架台駆動部１５は、回転体１３を回転駆動させる。Ｘ線絞り部１６は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。絞り駆動部１７は、Ｘ線発生部１１で発生したＸ線が所定の形状となるようＸ線絞り部１６を駆動させる。
【００１９】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。また、データ収集部１８は、収集した検出データ（電流信号）を電圧信号に変換し、この電圧信号を周期的に積分して増幅し、デジタル信号に変換する。そして、データ収集部１８は、デジタル信号に変換された検出データをコンソール装置４０（画像処理部４４（後述））に送信する。
【００２０】
［寝台装置］
寝台装置３０は、撮影対象の被検体Ｅを載置・移動させる装置である。寝台装置３０は、寝台３１と寝台駆動部３２とを備えている。寝台３１は、被検体Ｅを載置するための寝台天板３３と、寝台天板３３を支持する基台３４とを備えている。寝台天板３３は、寝台駆動部３２によって被検体Ｅの体軸方向及び体軸方向に直交する方向に移動することが可能となっている。すなわち、寝台駆動部３２は、被検体Ｅが載置された寝台天板３３を、回転体１３の開口部１３ａに対して挿抜させることができる。基台３４は、寝台駆動部３２によって寝台天板３３を上下方向（被検体Ｅの体軸方向と直交する方向）に移動させることが可能となっている。
【００２１】
［コンソール装置］
コンソール装置４０は、Ｘ線ＣＴ装置１に対する操作入力に用いられる。また、コンソール装置４０は、架台装置１０によって収集された検出データから被検体Ｅの内部形態を表すＣＴ画像データ（断層画像データやボリュームデータ）を再構成する機能等を有している。コンソール装置４０は、スキャン制御部４１と、設定部４２と、特定部４３と、画像処理部４４と、制御部４５と、表示制御部４６と、入力部４７と、記憶部４８と、表示部４９とを含んで構成されている。
【００２２】
スキャン制御部４１は、Ｘ線スキャンに関する各種動作を制御する。たとえば、スキャン制御部４１は、回転体１３を回転駆動させるよう架台駆動部１５を制御する。スキャン制御部４１は、Ｘ線絞り部１６を動作させるよう絞り駆動部１７を制御する。スキャン制御部４１は、寝台３１を移動させるよう寝台駆動部３２を制御する。
【００２３】
なお、本実施形態では、Ｘ線ＣＴ装置１によるＸ線スキャンと並行して心電計５０により被検体Ｅの心電波形データが取得される。つまり、Ｘ線スキャンの時間軸と心電波形データの時間軸は同期されている。Ｘ線スキャンにより取得された検出データと心電波形データとは同一時間軸で関連付けられ、記憶部４８等に記憶される。
【００２４】
設定部４２は、Ｘ線スキャンと並行して得られた被検体Ｅの心電波形データに対して、所望の範囲Ｒを設定する。
【００２５】
心電波形データは、心臓の電気的な活動の様子を示すデータである。図２は、被検体Ｅの心電波形データをグラフＧとして示した模式図である。図２の縦軸は電圧、横軸は時間（ｔ）を示す。グラフＧを参照することで、術者は、被検体Ｅの心臓の動きに伴い、Ｒ波ｒｋ（ｋ＝１〜ｎ）が一定間隔で検出されていることを確認できる（図２では、Ｒ波ｒ１〜ｒ３のみを示している）。また、術者は、Ｒ波ｒ２とＲ波ｒ３との間に不整脈を示す波Ａｒが検出されていることを確認できる。
【００２６】
所望の範囲Ｒは、心電波形データの時相（以下、「タイミング」という場合がある）に対応する範囲であり、ＣＴ画像（ＣＴ画像データ）の作成に用いる検出データを特定するための範囲である。所望の範囲Ｒは、たとえば、心臓等の動きの影響が少ないタイミングを示す範囲である。本実施形態におけるＸ線ＣＴ装置１は、所望の範囲Ｒに含まれるタイミングで取得された検出データに基づいて動きの影響が少ないＣＴ画像を作成することができる（詳細は後述）。
【００２７】
所望の範囲Ｒの設定は、手動で行うことができる。この場合、表示制御部４６は、表示部４９に図２に示す心電波形データを示すグラフＧを表示させる。術者は、入力部４７等を介してグラフＧにおける任意の領域（所望の範囲Ｒに対応する領域）を指定する。図２では、不整脈の影響が無い領域（Ｒ波ｒ１とＲ波ｒ２の間の一部領域）を指定した例を示す。設定部４２は、心電波形データに対して、入力部４７等により指定された任意の領域を所望の範囲Ｒとして設定する。入力部４７による任意の領域の指定は、たとえば、マーカ等により、直接、グラフＧに対して書き込むことが可能である。或いは、予めＲ波間を複数の領域（たとえば、１〜１００）に分割しておき、その領域に対応する数値（たとえば、５０〜９０）を入力部４７によって入力することで任意の領域を指定してもよい。
【００２８】
所望の範囲Ｒの設定は、自動で行うこともできる。たとえば、心臓の動きに異常がある場合、Ｒ波間の間隔が変動する場合がある。心臓の動きに異常がある状態で得られる検出データに基づくＣＴ画像は、モーションアーチファクトの影響が大きくなる可能性が高い。従って、Ｘ線ＣＴ装置１に、予め一般的なＲ波間の間隔Ｓを年齢別、体型別等に分類してエキスパートプランの一部として登録しておく。設定部４２は、登録された間隔Ｓと、取得された心電波形データにおける隣り合うＲ波の間隔Ｓ´（Ｒ波ｒｋ−１とＲ波ｒｋとの間隔）とを比較する。間隔Ｓと間隔Ｓ´とがほぼ同等の場合、心臓の動きは正常である可能性が高い。この場合、設定部４２は、間隔Ｓ´における領域を所望の範囲Ｒとして設定する。なお、エキスパートプランは、Ｘ線スキャンを行うためのスキャン条件等、Ｘ線ＣＴ装置１における一連の動作における各種条件を含む検査計画である。Ｘ線ＣＴ装置１は、予め設定されたエキスパートプランに基づいてＸ線スキャンや再構成処理を実行し、ＣＴ画像を作成する。
【００２９】
間隔Ｓ´における所望の範囲Ｒの割合は、任意に設定することができる。たとえば、エキスパートプランに所望の範囲Ｒとして設定すべき範囲を予め記憶しておく。そして、設定部４２は、間隔Ｓと間隔Ｓ´とが同等であると判断した場合、心電波形データに対して記憶された設定すべき範囲を適用することで所望の範囲Ｒを設定してもよい。たとえば、設定すべき範囲として「Ｒ波ｒｋ−１〜Ｒ波ｒｋ間のうち、Ｒ波ｒｋから７５％に対応する領域」がエキスパートプランに記憶されているとする。この場合、設定部４２は、間隔Ｓ´における領域のうち、Ｒ波ｒｋから７５％に対応する領域を所望の範囲Ｒとして設定する。
【００３０】
なお、設定部４２は、所望の範囲Ｒの設定と同様の手法により、不整脈の影響がある領域に対して除外範囲Ｒ´を設定してもよい（図２参照）。除外範囲Ｒ´が設定された心電波形画像を観察することにより、術者は、除外範囲Ｒ´に含まれるタイミングで取得された検出データがＣＴ画像データの作成に使用されていないことを確認できる（詳細は後述）。所望の範囲Ｒと除外範囲Ｒ´とは、心電波形画像Ｈ（後述）として表示した際に識別可能となっていることが望ましい。この場合、設定部４２は、所望の範囲Ｒを示すマーカ及び除外範囲Ｒ´を示すマーカの形態や色が異なるよう設定を行う。
【００３１】
本実施形態における設定部４２は、変更部４２ａを有する。変更部４２ａは、表示部４９に表示された所望の範囲Ｒが設定された心電波形データに対し、設定された所望の範囲Ｒを変更し、新たな範囲ＮＲを設定する。
【００３２】
図３Ａ及び図３Ｂは、表示制御部４６が表示部４９に表示させた心電波形データ（グラフＧ）を示す模式図である。図３Ａで示された心電波形データにおいては、Ｒ波ｒ１とＲ波ｒ２の間に所望の範囲Ｒが設定されている。
【００３３】
術者は、表示された心電波形データに対し、入力部４７等を介して心電波形データにおける所望の範囲Ｒに対応する領域とは異なる新たな領域（新たな範囲ＮＲに対応する領域）を指定する（図３Ｂ参照）。図３Ｂでは、Ｒ波ｒ２−Ｒ波ｒ３間のうち、不整脈の波Ａｒの影響がない一部領域を指定した例を示す。変更部４２ａは、心電波形データに対して所望の範囲Ｒを変更し、入力部４７等により指定された新たな領域を新たな範囲ＮＲとして設定する。入力部４７による新たな領域の指定は、上記と同様、マーカ等を用いて行うことが可能である。
【００３４】
特定部４３は、Ｘ線スキャンにより得られた検出データのうち、所望の範囲Ｒに含まれるタイミングで取得された検出データを特定する。また、特定部４３は、新たな範囲ＮＲに含まれるタイミングで取得された検出データを特定する。
【００３５】
図４Ａ及び図４Ｂは、心電波形データと検出データとの対応関係を示す模式図である（上段が心電波形データ、下段が検出データを示す。横軸は時間（ｔ）を示す）。
【００３６】
上述の通り、Ｘ線スキャンの時間軸と心電波形データの時間軸は同期されている。従って、心電波形データにおいて所望の範囲Ｒが設定された場合、特定部４３は、所望の範囲Ｒに含まれる時刻（タイミング）で取得された検出データＤを特定することができる（図４Ａ参照）。更に、心電波形データにおいて変更部４２ａにより新たな範囲ＮＲが設定された場合、特定部４３は、新たな範囲ＮＲに含まれる時刻（タイミング）で取得された検出データＤ´を特定することができる（図４Ｂ参照）。
【００３７】
画像処理部４４は、架台装置１０（データ収集部１８）から送信された検出データに対して各種処理を実行する。本実施形態において、画像処理部４４は、特定部４３により特定された検出データＤ（検出データＤ´）に対して各種処理を実行する。画像処理部４４は、前処理部４４ａと、再構成処理部４４ｂと、レンダリング処理部４４ｃとを含んで構成されている。
【００３８】
前処理部４４ａは、架台装置１０（Ｘ線検出部１２）で検出された検出データに対して対数変換処理、オフセット補正、感度補正、ビームハードニング補正等の前処理を行い、投影データを作成する。
【００３９】
再構成処理部４４ｂは、前処理部４４ａで作成された投影データに基づいて、ＣＴ画像データ（２次元の断層画像データや３次元のボリュームデータ）を作成する。断層画像データの再構成には、たとえば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、たとえば、コーンビーム再構成法、マルチスライス再構成法、拡大再構成法等、任意の方法を採用することができる。上述のように多列のＸ線検出器を用いたボリュームスキャンにより、広範囲のボリュームデータを再構成することができる。
【００４０】
レンダリング処理部４４ｃは、再構成処理部４４ｂで作成されたボリュームデータに対するレンダリング処理を行う。たとえば、レンダリング処理部４４ｃは、再構成処理部４４ｂで作成されたボリュームデータを任意の方向にレンダリングすることによりＭＰＲ表示する。すなわち、レンダリング処理部４４ｃは、ＭＰＲ画像（ＭＰＲ画像データ）を作成する。
【００４１】
制御部４５は、架台装置１０、寝台装置３０およびコンソール装置４０の動作を制御することによって、Ｘ線ＣＴ装置１の全体制御を行う。たとえば、制御部４５は、画像処理部４４を制御することで、検出データに対する各種処理（前処理、再構成処理、ＭＰＲ処理等）を行わせる。或いは、制御部４５は、画像表示に関する各種制御を行う。たとえば、制御部４５は、記憶部４８に記憶された画像データ等に基づき、ＣＴ画像を表示部４９に表示させる。
【００４２】
また、本実施形態における制御部４５は、再構成処理を開始させる信号に基づいて、所望の範囲Ｒが設定された心電波形データ、当該心電波形データに基づく心電波形画像データ、及び特定された検出データＤに基づくＣＴ画像データとを関連付けて、記憶部４８等に記憶させる。
【００４３】
再構成処理を開始させる信号とは、たとえば、入力部４７等を介して術者が再構成処理を開始する指示入力を行った場合、当該指示入力に基づいて制御部４５が再構成処理部４４ｂに再構成処理を実行させる指示信号である。或いは、エキスパートプランに基づいて再構成処理を自動的に開始する場合、再構成処理を開始させる信号は、制御部４５がエキスパートプランに基づいて再構成処理部４４ｂに再構成処理を実行させる指示信号である。
【００４４】
制御部４５は、再構成処理を開始させる信号に基づいて、設定部４２で所望の範囲Ｒが設定された心電波形データを取得する。所望の範囲Ｒが設定された心電波形データとは、心電波形データと所望の範囲Ｒを示す情報とが含まれるデータである。なお、心電波形データには、除外範囲Ｒ´を示す情報が含まれていてもよい。
【００４５】
また、制御部４５は、再構成処理を開始させる信号に基づいて、設定部４２で所望の範囲Ｒが設定された心電波形データを心電波形画像データとして取得する。具体的には、制御部４５は、所望の範囲Ｒが設定された心電波形データを画像としてキャプチャし、心電波形画像データとして取得する。すなわち、本実施形態における心電波形画像データとは、心電波形データと所望の範囲Ｒを示す情報とが含まれる一体のイメージデータである。なお、心電波形画像データには、除外範囲Ｒ´を示す情報が含まれていてもよい。
【００４６】
制御部４５は所望の範囲Ｒが設定された心電波形データと、取得した心電波形画像データと、特定部４３で特定された検出データに基づき、画像処理部４４（前処理部４４ａ及び再構成処理部４４ｂ）で作成されたＣＴ画像データとを関連付けて記憶部４８に記憶させる。なお、ＣＴ画像データは、再構成処理を開始させる信号に基づいて作成される。本実施形態では、複数のＣＴ画像データに対して、所望の範囲Ｒが設定された心電波形データ全体を示す一の画像データを心電波形画像データとして記憶させる。
【００４７】
一方、所望の範囲Ｒが変更された場合、制御部４５は、再構成処理を開始させる信号に基づいて、新たな範囲ＮＲが設定された心電波形データ、当該心電波形データに基づく心電波形画像データ、及び特定された検出データＤ´に基づくＣＴ画像データを関連付けて記憶部４８等に記憶させる。新たな範囲ＮＲが設定された心電波形データは、心電波形データと新たな範囲ＮＲを示す情報とが含まれるデータである。この場合の心電波形画像データは、心電波形データと新たな範囲ＮＲを示す情報とが含まれる一体のイメージデータである。検出データＤ´は、特定部４３により特定された、新たな範囲ＮＲに含まれるタイミングで取得された検出データである。
【００４８】
このように、制御部４５は、再構成処理を開始させる信号（再構成処理要求）をトリガとして、所望の範囲Ｒ（新たな範囲ＮＲ）が設定された心電波形データ、当該心電波形データに基づく心電波形画像データ、及び特定部４３で特定された検出データに基づくＣＴ画像データとの関連付けを自動的に実行する。従って、術者が都度、関連付けの指示を行う必要がないため、Ｘ線ＣＴ装置１における操作が簡便となる。なお、心電波形データ、心電波形画像データ及びＣＴ画像データは被検体Ｅの患者ＩＤとも関連付けられている。よって、患者ＩＤを入力することにより、Ｘ線ＣＴ装置１（制御部４５）は、対応する心電波形データ、心電波形画像データ及びＣＴ画像データを読み出すことができる。
【００４９】
表示制御部４６は、画像表示に関する各種制御を行う。たとえば、再構成処理部４４ｂで作成されたＣＴ画像データに基づくＣＴ画像を表示部４９に表示させる制御を行う。また、表示制御部４６は、表示部４９の一画面（表示画面）を一ページとし、且つ一ページに複数の表示エリアを設けて、各表示エリアに異なった情報や画像を表示させることができる。以下に説明する生データページＲＰは、その一例である。
【００５０】
本実施形態において、表示制御部４６は、記憶された心電波形画像データに基づく心電波形画像及び記憶されたＣＴ画像データに基づくＣＴ画像を表示部４９に併せて表示させる。図５Ａ〜図５Ｅは、生データページＲＰの一例を示す画面である。生データページＲＰは、表示エリアＰ１〜Ｐ３を有する。なお、図５Ａ〜図５Ｅに示す生データページＲＰでは、本実施形態を説明するために必要な一部の表示エリアのみを示している。
【００５１】
表示エリアＰ３に表示された「Ｒｅｃｏｎ」は、再構成処理の実行を指示するためのソフトキーＦである。入力部４７等により、ソフトキーＦが選択されると、再構成処理部４４ｂは、設定された再構成処理条件に基づいて、再構成処理（再構成処理の再実行）を行う。なお、再構成処理条件は、生データページＲＰ（たとえば、表示エリアＰ３）に再構成処理条件設定画面を表示させ、その画面で具体的な処理条件を設定することが可能である。
【００５２】
たとえば、被検体Ｅの患者ＩＤが入力されると、制御部４５は、当該患者ＩＤに対応する所望の範囲Ｒが設定された心電波形データ、当該心電波形データに基づく心電波形画像データ及び特定された検出データによるＣＴ画像データを読み出す。表示制御部４６は、生データページＲＰの表示エリアＰ１に、読みだされたＣＴ画像データに基づくＣＴ画像（断層画像）Ｉｋ（ｋ＝１〜ｎ）及び読みだされた心電波形画像データに基づく心電波形画像Ｈを並べて表示させる（図５Ａ参照）。このように、一画面でＣＴ画像Ｉｋと関連する心電波形画像Ｈとを表示させることにより、術者は表示されているＣＴ画像がどのような心電波形に基づいて作成されたものかを容易に理解できる。たとえば、図５Ａにおける心電波形画像Ｈを見た術者は、所定の範囲Ｒの表示により、ＣＴ画像ＩｋがＲ波ｒ１とＲ波ｒ２の間におけるタイミングで取得された検出データに基づいて作成されたものであることを確認できる。
【００５３】
ここで、術者が入力部４７等により、表示部４９に表示された心電波形画像Ｈを選択した場合、表示制御部４６は、選択された心電波形画像Ｈに対応する所望の範囲Ｒが設定された心電波形データを表示部４９の表示エリアＰ２に表示させる（図５Ｂ参照）。このように、心電波形データを表示部４９に表示させることにより、術者は心電波形データに対して入力操作（編集）を実行できる。
【００５４】
たとえば、Ｒ波ｒ２−Ｒ波ｒ３間のタイミングにおけるＣＴ画像を観察したい場合、術者は、入力部４７等を介し、表示エリアＰ２の心電波形データに対して設定されている所望の範囲Ｒを消去し、新たな領域（新たな範囲ＮＲに対応する領域）を指定する（図５Ｃ参照）。変更部４２ａは、指定された領域を新たな範囲ＮＲとして設定する。特定部４３は、記憶部４８等に記憶された検出データのうち、新たな範囲ＮＲに含まれるタイミングで取得された検出データＤ´を特定する。
【００５５】
その後、Ｘ線ＣＴ装置１で再構成処理を再実行する。すなわち、術者が入力部４７等を介してソフトキーＦを選択すると、制御部４５は、指示入力に基づいて再構成処理部４４ｂに検出データＤ´を用いた再構成処理を実行させる（再構成処理の再実行）。
【００５６】
この場合、制御部４５は、再構成処理を開始させる信号に基づいて、新たな範囲ＮＲが設定された心電波形データ、当該心電波形データに基づく心電波形画像データ、及び特定された新たな範囲ＮＲに含まれるタイミングで取得された検出データに基づくＣＴ画像データを関連付けて記憶させる。
【００５７】
なお、表示制御部４６は、再構成処理の再実行が完了した後、心電波形画像Ｈ及びＣＴ画像Ｉｋに換えて、新たな範囲ＮＲが設定された心電波形画像Ｈ´及び検出データＤ´に基づくＣＴ画像Ｉｋ´（ｋ＝１〜ｎ）を表示部４９の表示エリアＰ１に表示させてもよい（図５Ｄ参照）。
【００５８】
また、表示制御部４６は、所望の範囲Ｒに対応する検出データに基づくＣＴ画像Ｉｋ、及び新たな範囲ＮＲに対応する検出データに基づくＣＴ画像Ｉｋ´を表示部４９に並列表示させることも可能である（図５Ｅ参照）。このように、ＣＴ画像を並列表示させることにより、異なるタイミングで取得された検出データに基づくＣＴ画像の比較を容易に行うことができる。本実施形態におけるＣＴ画像Ｉｋは、「第１のＣＴ画像」の一例である。また、本実施形態におけるＣＴ画像Ｉｋ´は、「第２のＣＴ画像」の一例である。
【００５９】
入力部４７は、コンソール装置４０に対する各種操作を行う入力デバイスとして用いられる。入力部４７は、たとえばキーボード、マウス、トラックボール、ジョイスティック等により構成される。また、入力部４７として、表示部４９に表示されたＧＵＩ（Ｇｒａｐｈｉｃａｌ  Ｕｓｅｒ  Ｉｎｔｅｒｆａｃｅ）を用いることも可能である。
【００６０】
記憶部４８は、ＲＡＭやＲＯＭ等の半導体記憶装置によって構成される。記憶部４８は、検出データや投影データ、或いは再構成処理後のＣＴ画像データ等を記憶する。また、本実施形態では、記憶部４８は、上述の通り、ＣＴ画像データと心電波形画像データとを関連付けて記憶する。
【００６１】
表示部４９は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の表示デバイスによって構成される。たとえば、表示部４９には、再構成処理されたＣＴ画像が表示される。
【００６２】
なお、スキャン制御部４１、設定部４２、特定部４３、画像処理部４４、制御部４５及び表示制御部４６は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの図示しない処理装置と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）や、又はＨＤＤ（Ｈａｒｄ  Ｄｉｓｃ  Ｄｒｉｖｅ）などの図示しない記憶装置とによって構成されている。記憶装置には、各部の機能を実行するための制御プログラムが記憶されている。ＣＰＵなどの処理装置が、記憶装置に記憶されている各プログラムを実行することで各部の機能を実行する。
【００６３】
［心電計］
心電計５０は、被検体Ｅに接続され、被検体Ｅの心拍により生じる微弱な電気信号を検出する。心電計５０は、検出された電気信号の時間変化を心電波形データとして出力する。
【００６４】
＜動作＞
次に、図６を参照して、本実施形態に係るＸ線ＣＴ装置１の動作について説明する。ここでは、Ｘ線ＣＴ装置１が、あるエキスパートプランに基づく心電同期再構成処理を実行する例について述べる。
【００６５】
Ｘ線スキャンを開始するに当たり、術者により被検体Ｅに適したエキスパートプランが選択される（Ｓ１０）。エキスパートプランには、スキャン条件や再構成処理条件と併せて、心電波形データにおける所望の範囲Ｒを設定する条件が定められている。
【００６６】
Ｘ線ＣＴ装置１は、Ｓ１０で選択されたエキスパートプランに基づいて被検体Ｅに対してＸ線スキャンを開始する（Ｓ１１）。また、心電計５０は、Ｓ１１におけるＸ線スキャンと並行して心電波形データを取得する（Ｓ１２）。
【００６７】
設定部４２は、Ｓ１０で選択されたエキスパートプランに基づいて、Ｓ１２で得られた心電波形データに対して所望の範囲Ｒを設定する（Ｓ１３）。
【００６８】
特定部４３は、Ｓ１３で設定された所定の範囲Ｒに含まれるタイミングで取得された検出データＤを特定する（Ｓ１４）。
【００６９】
再構成処理部４４ｂは、Ｓ１０で選択されたエキスパートプランに基づいて、Ｓ１４で特定された検出データＤに基づく投影データを再構成処理し、ＣＴ画像データを作成する（Ｓ１５）。
【００７０】
制御部４５は、Ｓ１５における再構成処理を開始させる信号に基づいて、Ｓ１３で所望の範囲Ｒが設定された心電波形データ、当該心電波形データに基づく心電波形画像データ、及びＳ１５で作成されたＣＴ画像データを関連付けて記憶部４８に記憶させる（Ｓ１６）。
【００７１】
Ｘ線スキャンの終了後、術者からの指示入力に基づき、表示制御部４６は、表示部４９に生データページＲＰを表示させる。術者が被検体Ｅの患者ＩＤ等を入力すると、表示制御部４６は、入力された患者ＩＤに対応する心電波形データ、ＣＴ画像データ及び心電波形画像データを記憶部４８から読み出す。そして、表示制御部４６は、読み出されたＣＴ画像データに基づくＣＴ画像Ｉｋ及び心電波形画像データに基づく心電波形画像Ｈを表示部４９に並べて表示させる（Ｓ１７。図５Ａ参照）。
【００７２】
心電波形画像Ｈが選択された場合、表示制御部４６は、心電波形画像Ｈに対応する心電波形データを表示部４９に表示させる（Ｓ１８。図５Ｂ参照）。
【００７３】
術者は、入力部４７等を介し、Ｓ１８で表示された心電波形データにおいて所望の範囲Ｒを変更する。この変更に基づいて、変更部４２ａは、新たな範囲ＮＲを設定する（Ｓ１９。図５Ｃ参照）。
【００７４】
特定部４３は、Ｓ１９で設定された新たな範囲ＮＲに含まれるタイミングで取得された検出データＤ´を特定する（Ｓ２０）。
【００７５】
術者が入力部４７等を介してソフトキーＦを選択すると、制御部４５は、再構成処理部４４ｂに検出データＤ´を用いた再構成処理を実行させる（再構成処理の再実行）。再構成処理部４４ｂは、Ｓ２０で特定された検出データＤ´に基づく投影データを再構成処理し、ＣＴ画像データを作成する（Ｓ２１。再構成処理の再実行）。
【００７６】
制御部４５は、再構成処理を開始させる信号に基づいて、Ｓ１９で新たな範囲ＮＲが設定された心電波形データ、当該心電波形データに基づく心電波形画像データ、及びＳ２１で作成されたＣＴ画像データを関連付けて記憶部４８に記憶させる（Ｓ２２）。
【００７７】
なお、本実施形態では、Ｘ線ＣＴ装置１の構成について説明を行ったが、本実施形態における作用を果たす構成は、Ｘ線ＣＴ装置１に限られない。たとえば、Ｘ線ＣＴ装置１で取得された検出データや心電計５０で取得された心電波形データ等をＸ線ＣＴ装置１とは異なる装置（たとえば、画像ビューワ等の画像表示装置）に送信し、その装置内で同様の処理を行うことによって、上記実施形態と同様の機能を実現することができる。この場合、画像表示装置内には、少なくとも設定部４２、特定部４３、再構成処理部４４ｂ、制御部４５、表示制御部４６及び表示部４９が設けられていることが望ましい。画像表示装置に設けられる制御部４５は、少なくとも再構成処理を開始させる信号に基づいて、所望の範囲Ｒが設定された心電波形データ、当該心電波形データに基づく心電波形画像データ、及び特定された検出データに基づくＣＴ画像データを関連付けて記憶させる機能を有していればよい。表示制御部４６は、少なくとも、記憶された心電波形画像データに基づく心電波形画像Ｈ及び記憶されたＣＴ画像データに基づくＣＴ画像Ｉｋを表示部４９に併せて表示させ、且つ心電波形画像Ｈが選択された場合、選択された心電波形画像Ｈに対応する所望の範囲Ｒが設定された心電波形データを表示部４９に表示させる機能を有していればよい。また、記憶部４８は、画像表示装置内にあってもよいし、Ｘ線ＣＴ装置１内にあってもよい。或いは、外部のサーバ等を記憶部４８として機能させてもよい。
【００７８】
＜作用・効果＞
本実施形態の作用及び効果について説明する。
【００７９】
本実施形態のＸ線ＣＴ装置１は、被検体Ｅに対するＸ線スキャンを行い、検出データを取得する。Ｘ線ＣＴ装置１は、設定部４２と、特定部４３と、再構成処理部４４ｂと、制御部４５と、表示制御部４６とを有する。設定部４２は、Ｘ線スキャンと並行して得られた被検体Ｅの心電波形データに対して、所望の範囲Ｒを設定する。特定部４３は、検出データのうち、所望の範囲Ｒに含まれるタイミングで取得された検出データＤを特定する。再構成処理部４４ｂは、特定された検出データＤに基づく投影データを再構成処理し、ＣＴ画像データを作成する。制御部４５は、再構成処理を開始させる信号に基づいて、所望の範囲Ｒが設定された心電波形データ、当該心電波形データに基づく心電波形画像データ、及び特定された検出データＤに基づくＣＴ画像データを関連付けて記憶させる。表示制御部４６は、記憶された心電波形画像データに基づく心電波形画像Ｈ及び記憶されたＣＴ画像データに基づくＣＴ画像Ｉｋを表示部４９に併せて表示させ、且つ心電波形画像Ｈが選択された場合、選択された心電波形画像Ｈに対応する所望の範囲Ｒが設定された心電波形データを表示部４９に表示させる。
【００８０】
このように、制御部４５は、再構成処理を開始させる信号に基づいて、心電波形データ、心電波形画像データ及びＣＴ画像データを自動的に記憶させる。よって、術者が都度、関連付けの指示を行わなくとも、心電波形データ、心電波形画像データ及びＣＴ画像データを関連付けて保存することができる。また、表示制御部４６は、心電波形画像データに基づく心電波形画像が選択された場合、対応する心電波形データを表示部４９に表示させることができる。すなわち、本実施形態におけるＸ線ＣＴ装置１によれば、ＣＴ画像（ＣＴ画像データ）と対応する心電波形の画像（心電波形画像データ）とを容易に関連付けることができ、且つ心電波形の画像に対応する心電波形データを容易に表示することができる。従って、Ｘ線ＣＴ装置１における操作が簡便となる。
【００８１】
また、本実施形態における設定部４２は、変更部４２ａを有する。変更部４２ａは、表示部４９に表示された所望の範囲Ｒが設定された心電波形データに対し、設定された所望の範囲Ｒを変更し、新たな範囲ＮＲを設定する。特定部４３は、新たな範囲ＮＲに含まれるタイミングで取得された検出データＤ´を特定する。制御部４５は、再構成処理を開始させる信号に基づいて、新たな範囲ＮＲが設定された心電波形データ、当該心電波形データに基づく心電波形画像データ、及び特定された新たな範囲ＮＲに含まれるタイミングで取得された検出データＤ´に基づくＣＴ画像データを関連付けて記憶させる。
【００８２】
このように、変更部４２ａは、心電波形データに対し、所望の範囲Ｒを任意に変更することができる。そして、特定部４３は、変更された範囲（新たな範囲ＮＲ）に含まれるタイミングで取得された検出データＤ´を特定する。よって、本実施形態におけるＸ線ＣＴ装置１によれば、心電波形データに基づいて任意のタイミングでのＣＴ画像を得ることができる。たとえば、Ｒ波ｒ１−Ｒ波ｒ２間の領域が所望の範囲Ｒとして設定されている状態において、別のＲ波間（たとえば、Ｒ波ｒ２−Ｒ波ｒ３間）における検出データに基づくＣＴ画像を確認したい場合もありうる。このような場合であっても、入力部４７等を介した指示入力に基づき、変更部４２ａは、所望の範囲Ｒを変更し、Ｒ波ｒ２−Ｒ波ｒ３間に新たな範囲ＮＲを設定することができる。従って、本実施形態におけるＸ線ＣＴ装置１によれば、変更された範囲（新たな範囲ＮＲ）におけるＣＴ画像を容易に確認することができる。また、本実施形態におけるＸ線ＣＴ装置１によれば、術者が都度、関連付けの指示を行わなくとも、再構成処理要求に基づいて、新たな範囲ＮＲを設定した心電波形データ、心電波形画像データ及びＣＴ画像データを関連付けて保存することができる。
【００８３】
また、本実施形態における表示制御部４６は、所望の範囲Ｒに対応する検出データＤに基づく第１のＣＴ画像（ＣＴ画像Ｉｋ）、及び新たな範囲ＮＲに対応する検出データＤ´に基づく第２のＣＴ画像（ＣＴ画像Ｉｋ´）を表示部４９に並列表示させる。
【００８４】
このように、表示制御部４６は、一の心電波形データに対して設定された異なる範囲（所望の範囲Ｒ、新たな範囲ＮＲ）における検出データに基づくＣＴ画像を並列表示させる。すなわち、本実施形態におけるＸ線ＣＴ装置１によれば、一の心電波形データにおける異なるタイミングで得られた検出データに基づくＣＴ画像の比較等を容易に行うことが可能となる。
【００８５】
また、本実施形態の構成を画像表示装置に応用することも可能である。このような画像表示装置は、設定部４２と、特定部４３と、再構成処理部４４ｂと、制御部４５と、表示部４９と、表示制御部４６とを有する。設定部４２は、被検体Ｅに対するＸ線スキャンと並行して得られた被検体Ｅの心電波形データに対して、所望の範囲Ｒを設定する。特定部４３は、Ｘ線スキャンにより取得された検出データのうち、所望の範囲Ｒに含まれるタイミングで取得された検出データＤを特定する。再構成処理部４４ｂは、特定された検出データＤに基づく投影データを再構成処理し、ＣＴ画像データを作成する。制御部４５は、再構成処理を開始させる信号に基づいて、所望の範囲Ｒが設定された心電波形データ、当該心電波形データに基づく心電波形画像データ、及び特定された検出データＤに基づくＣＴ画像データを関連付けて記憶させる。表示制御部４６は、記憶された心電波形画像データに基づく心電波形画像Ｈ及び記憶されたＣＴ画像データに基づくＣＴ画像Ｉｋを表示部４９に併せて表示させ、且つ心電波形画像Ｈが選択された場合、選択された心電波形画像Ｈに対応する所望の範囲Ｒが設定された心電波形データを表示部４９に表示させる。
【００８６】
このように、Ｘ線ＣＴ装置１の外部装置においても、制御部４５は、再構成処理を開始させる信号に基づいて、心電波形データ、心電波形画像データ及びＣＴ画像データを自動的に記憶させる。よって、術者が都度、関連付けの指示を行わなくとも、心電波形データ、心電波形画像データ及びＣＴ画像データを関連付けて保存することができる。また、表示制御部４６は、心電波形画像データに基づく心電波形画像が選択された場合、対応する心電波形データを表示部４９に表示させることができる。すなわち、本実施形態における画像表示装置によれば、ＣＴ画像（ＣＴ画像データ）と対応する心電波形の画像（心電波形画像データ）とを容易に関連付けることができ、且つ心電波形の画像に対応する心電波形データを容易に表示することができる。
【００８７】
上記実施形態で説明された再構成法に代えて、セグメント再構成法を適用することができる。セグメント再構成法は、心電同期再構成の一種であり、回転体１３を回転させながら所定の心時相の範囲の検出データを複数の心拍にわたって取得し、それら複数の検出データに基づく再構成処理を行うことによりＣＴ画像データを作成するものである。以降、セグメントを所望の範囲と言い換えることがある。
【００８８】
セグメント再構成法が適用された場合における心電波形データと検出データとの対応関係を図７に示す。Ｘ線スキャンの時間軸と心電波形データの時間軸とは同期している。符号Ｇは心電波形データのグラフを示す。
【００８９】
グラフＧには、Ｒ波ｒ１及びｒ６に挟まれた５心拍が示されている（心拍の数は任意である）。各心拍において、心時相はパーセント値で表される。本例では、セグメント再構成法の対象となる心時相の範囲として、α（％）〜β（％）の範囲が用いられる。当該範囲は任意に設定される。Ｒ波ｒｑとＲ波ｒｑ＋１との間の心拍における当該範囲を符号Ｒｑで示す（ｑ＝１〜５）。本例において、複数の範囲Ｒ１〜Ｒ５が所望の範囲となる。
【００９０】
所望の範囲を設定する処理は、設定部４２により実行される。この設定処理の一例として、エキスパートプランに「セグメント再構成法の対象となる心時相の範囲＝α（％）〜β（％）」が予め含まれている場合、設定部４２は、複数の心拍において時相α（％）〜β（％）に対応する複数の範囲Ｒｑを、所望の範囲として設定することができる。
【００９１】
符号Ｄｑは、対応する範囲Ｒｑにおいて取得された検出データを示す（ｑ＝１〜５）。各範囲Ｒｑに対応する検出データＤｑは、特定部４３によって特定される。前処理部４４ａは、特定部４３により特定された各検出データＤｑに対して所定の前処理を施すことにより投影データを作成する。再構成処理部４４ｂは、複数の検出データＤｑに基づく投影データ群を再構成処理することによりＣＴ画像データを作成する。このＣＴ画像データは、目的の心時相における心臓の形態を表すものである。
【００９２】
表示制御部４６は、心電画像データに基づく心電波形画像と、作成されたＣＴ画像データに基づくＣＴ画像とを表示部４９に表示させる。その表示態様の例として、上記実施形態と同様の生データページがある。図８に生データページＲＰの表示例を示す。上記実施形態と同様に患者ＩＤに対応する複数のＣＴ画像Ｉｋと心電波形画像Ｈ１が表示部４９に表示される。
【００９３】
この処理は、患者ＩＤに対応する複数の所望の範囲Ｒｑが設定された心電波形データと、それに対応する当該心電波形データに基づく心電波形画像データと特定された検出データによるＣＴ画像データとを、制御部４５が読み出すことにより行われる。読み出された各データには、再構成処理部４４ｂによって再構成処理が施される。
【００９４】
再構成処理部４４ｂは、予め設定された再構成処理条件に基づいて、再構成処理を実行する。なお、再構成処理条件については、生データページＲＰ（たとえば、表示エリアＰ３）に再構成処理条件設定画面を表示させ、その画面で具体的な処理条件を設定することが可能である。再構成処理は表示エリアＰ３に表示されたソフトキーＦが入力部４７等により選択されたことに対応して開始される。
【００９５】
また、術者が入力部４７等により表示部４９に表示された心電波形画像Ｈ１を選択した場合、表示制御部４６が心電波形画像Ｈ１に対応する複数の所望の範囲Ｒｑを統合した心電波形データを表示部４９の表示エリアＰ２に表示させるようにしてもよい（図８参照）。
【００９６】
また、表示部４９に表示させた心電波形データに対して、直接的に編集を目的とした入力操作を実行できるようにしてもよい。
【００９７】
このようにすることで、術者はＰ３に表示された再構成処理条件設定画面に加えて、表示エリアＰ２に表示された心電波形データを直接的に編集することができるため、直観的な操作が可能となる。
【００９８】
心電波形画像Ｈ１は、設定された所定個数の所望の範囲Ｒｑを含む心電波形データから構成される。心電波形画像Ｈ１は所望の範囲Ｒｑの各時相毎の心電波形データと、各時相毎のＸ線の検出データとに対応している。心電波形画像Ｈ１を選択することで、当該心電波形データに基づいて特定された検出データを再構成して得られたＣＴ画像データが表示されることになる。
【００９９】
セグメント再構成法において各心時相を示す複数の範囲Ｒｑから不適当な範囲を除外して再構成処理を行うことが可能である。その一例を以下に示す。
【０１００】
表示制御部４６は、生データページＲＰの表示エリアＰ１に、読み出された検出データに基づくＣＴ画像Ｉｋ（ｋ＝１〜ｎ）と、読み出された心電波形画像データに基づく心電波形画像Ｈ１とを並べて表示させる。
【０１０１】
このように、関連するＣＴ画像Ｉｋと心電波形画像Ｈ１を同一画面に表示させることにより、術者は表示されているＣＴ画像がどの心時相に対応して作成されたものかを容易に把握できる。
【０１０２】
例えば、図８における心電波形画像Ｈ１を見た術者は、複数の所定の範囲Ｒｑが心電波形画像Ｈ１として表示されたことによって、ＣＴ画像Ｉｋがどの心時相のセグメントに基づいて作成されたものであるかを把握できる。
【０１０３】
また、ＣＴ画像Ｉｋにモーションアーチファクト等による乱れが生じている場合、図９に示すように、再構成に用いられるセグメントの一部に不整脈の波Ａｒが含まれていることがある。
【０１０４】
このようなＣＴ画像Ｉｋに乱れが生じている場合は、図１０の表示エリアＰ１に表示されている心電波形画像Ｈ２を確認することで、術者は範囲Ｒｑの一部（ここではＲ２）に不整脈の波Ａｒが有ることを把握でき、ＣＴ画像Ｉｋが不整脈を含む範囲Ｒ２を用いて再構成された画像であることを容易に把握することができる。
【０１０５】
再構成を行う範囲Ｒｑに不整脈が確認された場合、図１０の表示エリアＰ３に表示された再構成処理条件設定画面及び表示エリアＰ２に表示された心電波形データに基づいて、複数の所望の範囲Ｒｑのうちから不整脈を含む所望の範囲Ｒ２を除いた範囲Ｒ１、Ｒ３、Ｒ４を選択し直してＣＴ画像を再構成してもよい。このとき、変更部４２ａは、入力部４７等を介した指示入力に基づき、処理に供される所望の範囲Ｒｑを再設定する。
【０１０６】
更に特定部４３は、再設定された所望の範囲Ｒｑに基づき、所望の心時相における検出データＤｑを再度特定する。
【０１０７】
特定部４３により特定された複数の検出データＤｑは、再構成処理部４４ｂによる再構成に供され、表示部４９に不整脈に係る所望の範囲Ｒ２を避けた新たなＣＴ画像Ｉｋ´が表示される。
【０１０８】
本例によれば、セグメント再構成法を利用することで患者への曝射量を減らすことができるとともに、ＣＴ画像の再構成時においては、不整脈によるＣＴ画像のモーションアーチファクト等による画質の低減を避けることができる。
【０１０９】
セグメント再構成法によるＣＴ画像を構成するのに必要なセグメントの数は、本例では５つのセグメントのうち、３つを用いるように構成したが、これに限らず、任意個数のセグメントが適用可能である。
【０１１０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１１】
１  Ｘ線ＣＴ装置
１０  架台装置
１１  Ｘ線発生部
１２  Ｘ線検出部
１３  回転体
１３ａ  開口部
１４  高電圧発生部
１５  架台駆動部
１６  Ｘ線絞り部
１７  絞り駆動部
１８  データ収集部
３０  寝台装置
３２  寝台駆動部
３３  寝台天板
３４  基台
４０  コンソール装置
４１  スキャン制御部
４２  設定部
４２ａ  変更部
４３  特定部
４４  画像処理部
４４ａ  前処理部
４４ｂ  再構成処理部
４４ｃ  レンダリング処理部
４５  制御部
４６  表示制御部
４７  入力部
４８  記憶部
４９  表示部
５０  心電計
【図１】
2014226320.tif 000003
【図２】
2014226320.tif 000004
【図３Ａ】
2014226320.tif 000005
【図３Ｂ】
2014226320.tif 000006
【図４Ａ】
2014226320.tif 000007
【図４Ｂ】
2014226320.tif 000008
【図５Ａ】
2014226320.tif 000009
【図５Ｂ】
2014226320.tif 000010
【図５Ｃ】
2014226320.tif 000011
【図５Ｄ】
2014226320.tif 000012
【図５Ｅ】
2014226320.tif 000013
【図６】
2014226320.tif 000014
【図７】
2014226320.tif 000015
【図８】
2014226320.tif 000016
【図９】
2014226320.tif 000017
【図１０】
2014226320.tif 000018